(57)【特許請求の範囲】
【請求項１】
第１レンズ群を保持する第１保持枠と、
前記第１保持枠に撮影光軸方向に移動自在に支持されており、前記第１レンズ群に対して被写体側、又は像面側に配されている第２レンズ群を保持する第２保持枠と、
前記第１保持枠に支持されており、合焦時に前記第２保持枠を前記第１保持枠に対して間隔が変化するように移動させる第１の駆動手段と、
変倍及び収納時に前記第１保持枠を撮影位置と収納位置との間で移動させるための第２の駆動手段と、を備えたレンズ移動装置において、
前記第１の駆動手段を、合焦用モータと、前記合焦用モータの駆動により回転する送りネジと、前記送りネジの回転により撮影光軸と平行な方向に移動する移動台と、で構成し、
前記第２保持枠に設けられており、第１保持枠が収納位置から撮影位置に移動したときに前記移動台に撮影光軸方向から当接する当接部と、
前記当接部が前記移動台に当接するように前記第２保持枠を付勢する付勢手段と、
前記第２保持枠よりも被写体側、又は像面側に設けられており、前記第２駆動手段の駆動により前記第１保持枠を前記収納位置に向けて移動する収納動作の過程で、前記第２保持枠に当接することで前記付勢手段の付勢に抗して前記当接部を前記移動台から離反させて第２保持枠を第１保持枠に向けて寄せる間隔詰め手段と、
前記第１保持枠に支持されており、前記当接部が前記移動台に当接しているときに前記第１保持枠に対して撮影光軸上における前記第２保持枠の位置が予め設定した合焦用初期位置にあるか否かを検出するとともに、前記第１保持枠を前記収納位置から前記撮影位置に移動したときに前記当接部が前記移動台に当接し、かつ前記合焦用初期位置にあるか否かを検出する初期位置検出手段と、
を備えたことを特徴とするレンズ移動装置。
【請求項２】
前記第１及び第２レンズ群は、複数のレンズ群からなる光学系に含まれており、前記第２保持枠を前記光学系のうちの最も結像面側に配し、前記間隔詰め手段を、前記光学系を支持する固定筒に設けたストッパーとしたことを特徴とする請求項１記載のレンズ移動装置。
【発明の詳細な説明】
【０００１】
【発明の属する技術分野】
本発明は、写真用カメラや電子スチルカメラ等に用いられるレンズ移動装置に関し、さらに詳しくは、不使用時にレンズをカメラボディに沈胴させる収納位置に移動するレンズ移動装置に関するものである。
【０００２】
【従来の技術】
ズームレンズカメラを用いたカメラではその多くがレンズの沈胴機構を備え、不使用時にはレンズ鏡筒をカメラボディ内に収納して携帯性を図っている。収納位置にレンズ鏡筒を収納するときには、レンズ鏡筒に組み込まれた各レンズ群の間隔が広すぎると大きな収納スペースが必要となってカメラボディの厚みが厚くなる。このような不都合を解消するために、特許第２９２５１９７号公報に提案されている光学装置では、第１の駆動手段の駆動で全体の光学系を収納位置に移動するとともに、焦点調節動作のための第２の駆動手段の駆動で収納動作時に光学系を構成する第１のレンズユニットをこれよりも前方の光学系を構成する第２のレンズユニットに対し接近させ、各レンズ群を互いに干渉させずに収納位置まで一斉に移動させている。
【０００３】
【発明が解決しようとする課題】
しかしながら、前述した公報記載の光学装置では、収納動作時に第１の駆動手段とともに第２の駆動手段を駆動する。また、収納位置から撮影位置に移動させる撮影準備動作時にも逆に第１のレンズユニットを第２のレンズユニットから離すために第１及び第２の駆動手段とを駆動させる。このように両方の駆動手段をそれぞれ駆動すると、収納動作及び撮影準備動作時に電池の消耗が多くなる。
【０００４】
本発明は上記の事情を考慮してなされたもので、レンズ鏡筒を沈胴させる収納スペースをできるだけ小さくするとともに、これに伴う電池の消耗を極力少なくすることができるレンズ移動装置を提供することを目的とする。
【０００５】
【課題を解決するための手段】
上記目的を達成するために、本発明のレンズ移動装置では、第１レンズ群を保持する第１保持枠と；前記第１保持枠に撮影光軸方向に移動自在に支持されており、前記第１レンズ群に対して被写体側、又は像面側に配されている第２レンズ群を保持する第２保持枠と；前記第１保持枠に支持されており、合焦時に前記第２保持枠を前記第１保持枠に対して間隔が変化するように移動させる第１の駆動手段と；変倍及び収納時に前記第１保持枠を撮影位置と収納位置との間で移動させるための第２の駆動手段と；を備えたレンズ移動装置において、前記第１の駆動手段を、合焦用モータと、前記合焦用モータの駆動により回転する送りネジと、前記送りネジの回転により撮影光軸と平行な方向に移動する移動台と、で構成し、前記第２保持枠に設けられており、前記移動台に撮影光軸の被写体側から当接する当接部と；前記当接部が前記移動台に当接するように前記第２保持枠を付勢する付勢手段と；前記第２保持枠よりも被写体側、又は像面側に設けられており、前記第２駆動手段の駆動により前記第１保持枠を収納位置に向けて移動する収納動作の過程で、前記第２保持枠に当接することで前記付勢手段の付勢に抗して前記当接部を前記移動台から離反させて第２保持枠を第１保持枠に向けて寄せる間隔詰め手段と；前記第１保持枠に支持されており、前記当接部が前記移動台に当接しているときに前記第１保持枠に対して撮影光軸上における前記第２保持枠の位置が予め設定した合焦用初期位置（フォーカス初期位置）にあるか否かを検出するとともに、前記第１保持枠を前記収納位置から前記撮影位置に移動したときに前記当接部が前記移動台に当接し、かつ前記合焦用初期位置にあるか否かを検出する初期位置検出手段と；を備えたものである。
【０００６】
これによれば、第１の駆動手段の移動台と第２保持枠の当接部とを係脱自在に設け、変倍・収納用モータのみを駆動して光学系を収納位置に向けて一斉に移動する収納動作時に、間隔詰め手段が付勢手段の付勢に抗して当接部を移動台から離反させて第２保持枠を第１保持枠に向けて寄せて当接部と移動台との係合を解除する。
【０００７】
第２保持枠を光学系の最も結像面側に配した場合には、第２保持枠の後方にある固定筒に設けたストッパーを間隔詰め手段とするのが望ましい。また、第２保持枠を第１保持枠の前に配した場合には、収納動作時に第２保持枠の前に配された前記光学系を構成する第３レンズ群を保持する第３保持枠が収納位置に移動し、その移動中に第３保持枠が第２保持枠に当接して第２保持枠を第１保持枠に向けて寄せることで移動台と当接部との係合が解除される。この場合には、間隔詰め手段が第３保持枠に相当する。
【０００８】
【発明の実施の形態】
カメラのズームレンズ１０は、図１乃至図３に示すように、被写体側から順に第１乃至第３レンズ群１１〜１３との３群で構成されており、これらのレンズ群１１〜１３を保持し、また光軸Ｏの方向に移動させるために、固定筒１４、カム筒１５、第１レンズ保持枠１６、第２レンズ保持枠１７、及び第３レンズ保持枠１８とが用いられている。
【０００９】
第１レンズ保持枠１６には第１レンズ群１１が固定され、第２レンズ保持枠１７には第２レンズ群１２が固定されている。固定筒１４には、光軸Ｏと平行に延びる直進ガイド開口１９が形成されている。カム筒１５の内周には、第１レンズ保持枠１６を移動させるための第１カム溝２０と、第２レンズ保持枠１７を移動させるための第２カム溝２１とがそれぞれ形成されている。
【００１０】
固定筒１４の外部には、変倍用モータ２２が固定されている。変倍用モータ２２は、光軸Ｏを中心とする周方向にカム筒１５を回動させる。第１レンズ保持枠１６には、直進ガイド開口１９を通して第１カム溝２０に係合する第１カムフォロアー２３が光軸Ｏを中心とする３分割位置にそれぞれ設けられている。第２レンズ保持枠１７には、直進ガイド開口１９を通して第２カム溝２１に係合する第２カムフォロアー２４が光軸Ｏを中心とする３分割位置にそれぞれ設けられている。
【００１１】
第１レンズ保持枠１６は、変倍用モータ２２の駆動により固定筒１４から被写体側に突出する位置と、固定筒１４の内部に収納される収納位置との間で移動する。なお、図示していないが、固定筒１４は外周がカメラボディに覆われており、第１レンズ保持枠１６は収納位置に移動したときにカメラボディ内に沈胴した状態となる。また、第２レンズ保持枠１７は、変倍時には第１レンズ保持筒１６に対して間隔を変え、また収納位置では結像面側に近寄る。なお、結像面は符号２５で示しており、ここには例えばＣＣＤイメージセンサ２６が固定される。
【００１２】
第２レンズ保持枠１７には、光軸Ｏを中心とする周方向の３分割位置にそれぞれガイド棒２７が固定されている。また第３レンズ保持枠１８には３本のガイド棒２７に係合する軸受け部２８がそれぞれ設けられている。これにより、第２レンズ保持枠１７は、第３レンズ保持枠１８を光軸Ｏの方向に移動自在に支持する。
【００１３】
第２レンズ保持枠１７には、合焦用モータ３０が固定されている。合焦用モータ３０の軸には、送りネジ３１が取り付けられている。送りネジ３１は、移動台３２に設けたネジ部３３に螺合している。移動台３２は、第３レンズ保持枠１７に設けた回転止め用ガイド棒３４に係合して回転止めされながら送りネジ３１の回転により光軸Ｏの方向に移動する。
【００１４】
移動台３２は、第３レンズ保持枠１８の当接部１８ａに係脱自在に連結されており、第３レンズ保持枠１８を第２レンズ保持枠１７に寄せる方向に向けて移動したときに当接部１８ａに片当たりして係合する。そして、第２レンズ保持枠１７には、第３レンズ保持枠１８を第２レンズ保持枠１７から離す方向に、すなわち当接部１８ａを移動台３２に押し当てる方向に向けて付勢する付勢バネ３５がが設けられている。付勢バネ２７は、圧縮コイルバネとなっており、複数のガイド棒２７にそれぞれ挿入して配されている。これら付勢バネ３５の付勢により常に移動台３２と当接部１８ａとが係合した状態となり、合焦時には合焦用モータ３０が駆動することで移動台３２を介して第３レンズ保持枠１８が第２レンズ保持枠１７に対して間隔を変えるように移動してピント調節がなされる。
【００１５】
固定筒１４には、光軸Ｏ上の最も結像面側にストッパー枠３６が形成されている。ストッパー枠３６は、内部が被写体光を通過させるための露光用開口１４ａとなっており、収納動作時に被写体側の前面３６ａが第３レンズ保持枠１８の後面１８ｂに当接して第３レンズ保持枠１８を付勢バネ３５の付勢に抗して第２レンズ保持枠１７に向けて寄せる。
【００１６】
カム筒１５の回転量は、カム筒回転位置検出部３７で検出される。このカム筒回転位置検出部３７は、カム筒１５の外周に沿わして設けられたコード板３７ａと、コード板３７ａに摺動する摺動子３７ｂとから構成されている。制御部３８は、摺動子３７ｂを介してコード板３７ａからカム筒１５の回転位置に対応するコードを読み取ることで、ズームレンズの収納位置及び変倍位置を特定する。
【００１７】
合焦用モータ３０は、パルスモータとなっている。第３レンズ保持枠１８の原点位置は、第２レンズ保持枠１７から離れたフォーカス初期位置（ピント調節範囲のうちの無限大位置）となっている。この位置は、第３レンズ保持枠１８に設けた遮光板３９を第２レンズ保持枠１７に設けたフォトセンサ４０で検知することで特定することができる。
【００１８】
制御部３８には、カメラの外部に設けられた電源スイッチ４１、シャッタボタン４２、及びズームレバー４３等が接続されている。シャッタボタン４２の半押し操作でＡＦ回路４４が作動し、合焦動作が行われる。合焦動作時には、その時点の変倍位置とＡＦ回路４４から得られる被写体距離との組み合わせで決まる合焦位置を求め、その合焦位置に対応するパルス信号をドライバー４５に送ることで合焦用モータ３０を回転して、第３レンズ保持枠１８をフォーカス初期位置から合焦位置に向けて移動させる。また、制御部３８は、撮像完了後に合焦用モータ３０を逆方向に回転して第３レンズ保持枠１８をその時点の合焦位置からフォーカス初期位置に戻す。このような合焦動作のプログラムはメモリ４６に記憶されている。
【００１９】
電源スイッチ４１をＯＦＦすると、収納動作が行われる。収納動作は、変倍用モータ２２のみを駆動してズームレンズ１０を収納位置に移動させる。電源スイッチ４１をＯＮすると、撮影準備動作が行われる。撮影準備動作は、変倍用モータ２２のみを駆動して第１及び第２レンズ保持枠１６，１７をそれぞれ固定筒１４から被写体側に向けて繰り出し、ズームレンズ１０を収納位置からワイド端にセットする。このような収納動作及び撮影準備動作のプログラムは、メモリ４６に記憶されている。
【００２０】
ズームレバー４３は、例えばシーソー式に操作されるレバーからなり、テレ端側とワイド端側との何れか一方に操作される。制御部３８は、ズームレバー４３の操作に応答してドライバー４７を介して駆動信号を送ることで変倍用モータ２２の駆動時間及び回転方向を制御する。このような変倍動作のプログラムもメモリ４６に記憶されている。
【００２１】
図４は、カム筒１５の回転位置に対する各レンズ群の動きを示している。ズームレンズ１０は、収納位置とワイド位置との間で移動される。テレ位置は、収納位置とワイド位置との間に設定されている。ズームレンズ１０が収納位置のときには、カム筒１５の回転位置が初期位置となっている。レンズ繰出し方向に向けたカム筒１５の回転は、初期位置から終端位置に向けた方向である。
【００２２】
カム筒１５の回転域は、変倍域と収納域とからなる。変倍域では、ズームレンズ１０をテレ端とワイド端との間で変倍する。収納域は、撮影準備動作、又は収納動作のときにカム筒１５が回転する域である。変倍域では、第１及び第２レンズ保持枠１６，１７が互いの間隔が異なるように光軸Ｏの方向にそれぞれ移動してズームレンズ１０の焦点距離が連続的に変化する。
【００２３】
収納域では、変倍位置にセットされた第１及び第２レンズ保持枠１６，１７が収納位置に向けてそれぞれ移動する。このとき、第３レンズ保持枠１８は、第２レンズ保持枠１７と一緒に収納位置に向けて移動し、その移動中にストッパー枠３６に当接して第２レンズ保持枠１７に向けて寄せられる。この第３レンズ保持枠１８が寄るタイミングは、カム筒１５が収納域のうちの回転位置Ｆに回転したときとなっている。
【００２４】
収納動作時には、変倍用モータ２２のみが連続的に駆動され、その駆動中に第３レンズ保持枠１８がストッパー枠３６に当接する。これにより、収納動作を短時間で行える。なお、収納動作時には、合焦用モータ３０が駆動されることはない。収納動作が完了すると、第１及び第２レンズ保持枠１６，１７がそれぞれ収納位置Ｊ，Ｋに位置する。そして、第３レンズ保持枠１８は、フォーカス初期位置のときよりも第２レンズ保持枠１７に接近した位置Ｌとなっている。
【００２５】
撮影準備動作時にも沈胴動作時と同じに、変倍用モータ２２のみが連続的に駆動され、第１及び第２レンズ保持枠１６，１７が被写体側に向けて繰り出される。そして、第３レンズ保持枠１８も第２レンズ保持枠１７と一緒に移動し、カム筒１５が回転位置Ｆに到達したときに第３レンズ保持枠１８に移動台３２が係合してストッパー枠３６から離れる。移動台３２が当接部１８ａに係合したときには、第３レンズ保持枠１８が第２レンズ保持枠１７に対するフォーカス初期位置となる。このため、撮影準備状態が迅速に行える。
【００２６】
次に、上記実施形態の作用を説明する。カメラの不使用状態では、ズームレンズ１０が収納位置の状態となっている。収納位置では、図１及び図５に示すように、第１レンズ移動筒１６が固定筒１４の内部に繰り込んだ収納位置Ｊに、また、第２レンズ保持枠１７が第１レンズ保持枠１６に接近した収納位置Ｋに、さらに、第３レンズ保持枠１８は後面１８ｂがストッパー枠３６の前面３６ａに当接し、第２レンズ保持枠１７に接近した収納位置Ｌにそれぞれセットされている。
この状態では、移動台３２と当接部１８ａとの係合が解除されている。
【００２７】
カメラを使用するときには、電源スイッチ４１をＯＮにする。制御部３８は、電源スイッチ４１のＯＮに応答してドライバ４７を介して変倍用モータ２２のみを駆動する。この変倍用モータ２２の駆動は、カム筒１５に伝達され、カム筒１５が初期位置から終端位置に向けて回転する。カム筒１５が回転すると、第１レンズ保持枠１６は、第１カム溝２０の光軸Ｏの方向に沿った変位に応じて、また第２レンズ保持枠１７は第２カム溝２１の光軸Ｏの方向に沿った変位に応じてそれぞれ被写体側に向けて繰り出される。
【００２８】
第２レンズ保持枠１７は、合焦用モータ３０、送りネジ３１、移動台３２、付勢バネ３５，及びガイド棒２７，３４とを一緒に移動させる。そして、第３レンズ保持枠１８は、カム筒１５が回転位置Ｆに達するまでは付勢バネ３５の付勢によりストッパー枠３６に当接した状態でガイド棒２７にガイドされながらその位置で維持され、またカム筒１５が回転位置Ｆに達したときに当接部１８ａが移動台３２に係合して第２レンズ保持枠１７と一緒に移動する。当接部１８ａが移動台３２に係合したときには、第３レンズ保持枠１８がフォーカス初期位置となる。
【００２９】
制御部３８は、カム筒回転位置検出部３７からの信号を監視し、カム筒１５がテレ端位置を通過しワイド端位置に達したことを識別すると、変倍用モータ２２の駆動を停止する。これによりズームレンズ１０は、撮影準備動作が完了した状態となる。
【００３０】
撮影するときには、ズームレバー４３を操作してズーミングを行う。この操作のときには、制御部３８がズームレバー４３の操作方向及び時間を監視し、これらに応じた回転方向及び時間で変倍用モータ２２の駆動を制御する。これにより、カム筒１５が変倍域内で回動してズームレンズ１０が所望の変倍位置にセットされる。このとき、第３レンズ保持枠１８は、第２レンズ保持枠１７と一緒に移動することでその時点の変倍位置に対応したフォーカス初期位置となる。
【００３１】
撮影を行うときには、シャッタボタン４２の半押し操作に応答して制御部３８は、ＡＦ回路４４を駆動し、ＡＦ回路４４から得られた被写体距離の情報とその時点の変倍位置の情報との組み合わせから予めメモリ４６に記憶されたテーブルを参照して第３レンズ保持枠１８の移動量を求める。
【００３２】
制御部３８は、その移動量に対応したパルス信号をドライバ４５に送って合焦用モータ３０の駆動を制御する。これにより、第３レンズ保持枠１８は、その時点の変倍位置に対応したフォーカス初期位置から第２レンズ保持枠１７に対して接近する方向に移動し、ズームレンズ１０のピントが被写体に合焦する。そして、半押し操作から引き続いてシャッタボタン４２の全押し操作が行われることで、ＣＣＤイメージセンサ２６での撮像が行われる。そして撮像完了後には、合焦用モータ３０のみを駆動して第３レンズ保持枠１８をフォーカス初期位置に戻す。
【００３３】
なお、ＣＣＤイメージセンサ２６の撮像により得られた画像データは、データ処理回路に取り込まれる。データ処理回路は、画像データに対してホワイトバランス調節、ガンマ補正などの各種データ処理を行う。また、データ処理回路からの画像データは、ＡＥ処理回路にも送られる。このＡＥ処理回路は、入力される各画像データと、その時点でＣＣＤドライバにセットされているＣＣＤイメージセンサの電荷蓄積時間、すなわち電子シャッタのシャッタ秒時とに基づいてＣＣＤイメージセンサの被写体輝度の測光値を算出する。そして、制御部３８は、この測光値に基づいて新たな電子シャッタのシャッタ秒時を決定し、このシャッタ秒時をＣＣＤドライバにフィードバックする、これにより、ＣＣＤイメージセンサ２６の駆動が調節され、ＡＥ制御が行われる。
【００３４】
カメラを不使用状態にするには、電源スイッチ４１をＯＦＦに操作する。制御部３８は、電源スイッチ４１のＯＦＦに応答して変倍用モータ２２のみを逆転駆動する。この駆動によってカム筒１５が初期位置に向けて回転する。この回転により第１及び第２のカム溝２０，２１の光軸Ｏの方向に沿った変位に従って第１及び第２レンズ保持枠１６，１７がそれぞれ結像面側に向けて繰り込まれる。このとき第３レンズ保持枠１８は、付勢バネ３５の付勢により当接部１８ａが移動台３２に係合した状態であるため第２レンズ保持枠１７と一緒に移動する。そして、カム筒１５の回転位置が回転位置Ｆに達したときに、第３レンズ保持枠１８の後面１８ｂがストッパー枠３６の前面３６ａに当接してその移動が止められる。このとき、第２レンズ保持枠１７の結像面側に向けての移動が継続されているため、第３レンズ保持枠１８は付勢バネ３５の付勢に抗して第２レンズ保持枠１７に向けて寄せられ、当接部１８ａと移動台３２との係合が解除される。
【００３５】
カム筒１５が初期位置に到達したときには、変倍用モータ２２の駆動が停止される。これにより、第１及び第２レンズ保持枠１６，１７が収納位置Ｊ，Ｋにそれぞれ位置する。そして、第３レンズ保持枠１８は、移動台３２との係合が解除された状態で第２レンズ保持枠１７に対し接近した収納位置Ｌに位置する。
【００３６】
ここで、上記実施形態の第２レンズ保持枠１７が本発明の第１保持枠に、また、上記実施形態の第３レンズ保持枠１８が本発明の第２保持枠に、さらに、上記実施形態の変倍用モータ２２が本発明の変倍・収納用モータに、それぞれ相当する。また、上記実施形態のストッパー枠３６が本発明の間隔詰め手段に、さらに、上記実施形態の付勢バネ３５が本発明の付勢手段に、さらにまた、上記実施形態のフォトセンサ４０が本発明の初期位置検出手段に、それぞれ相当する。
【００３７】
上記実施形態では、合焦用モータ３０を合焦時のみに駆動するモータとしているが、本発明ではこれに限らず変倍時にも第３レンズ保持枠１８を移動するための変倍兼用の合焦用モータとしてもよい。また、第１及び第２レンズ保持枠１６，１７をカム機構により進退させる構造としているが、本発明ではこれに限らずヘリコイド機構など周知の機構であればいずれの機構を用いることができる。
【００３８】
また、上記実施形態では、カム筒１５の回転位置で変倍位置を識別しているが、本発明ではこれに限らず、カム筒１５の回転量で識別してもよいし、また、第１又は第２レンズ保持枠１６，１７の移動量又は移動位置で識別してもよい。
【００３９】
上記実施形態では、３群構成のズームレンズとしているが、本発明ではこれに限らず、２群構成でもよいし４群以上の構成でもよい。また、被写体側から順に第１乃至第３レンズ保持枠１６〜１８を配置しているが、本発明ではこの順番に限ることはなく、例えば第２レンズ保持枠１７の被写体側に第３レンズ保持枠１８を移動自在に支持してもよい。この場合には、収納動作時に結像面側に移動してくる第１レンズ保持枠１６に第３レンズ保持枠１８を当接させて第３レンズ保持枠１８を第２レンズ保持枠１７に対し接近した位置に寄せる構造にすればよい。この例では、第３レンズ保持枠１８の前方に位置する第１レンズ保持枠１６の後面で第３レンズ保持枠１８を寄せるため、第１レンズ保持枠１６の後面が間隔詰め手段となる。
【００４０】
さらに、上記実施形態では、ズームレンズカメラとしているがこれに限らず、例えばテレ位置、ワイド位置、及び収納位置とに切り換わる２焦点カメラにも本発明を適用することができる。さらにまた、収納位置とワイド位置との間にテレ位置を設定しているが、収納位置とテレ位置との間にワイド位置を設定することも可能である。この場合には、変倍用案内域と収納用案内域との境界がワイド位置となる。さらに、上記実施形態のズームレンズでは、カメラボディの内部に沈胴した位置を収納位置としているが、本発明の収納位置としてはカメラボディに沈胴する位置に限らず、カメラボディの前面に設けたレンズフードに入り込む位置としてもよい。
【００４１】
また、上記実施形態では、電源スイッチ４１の操作に応答して撮影準備動作又は収納動作を行うように構成しているが、本発明ではこれに限らず、例えば、撮影レンズを保護する保護カバーをカメラの前面に開閉自在に設け、保護カバーの開閉操作に応答して撮影準備動作又は収納動作を行うように構成してもよい。
【００４２】
さらに、本発明は、電子スチルカメラ以外に、例えば写真用カメラにも採用することができる。また、ＡＦ回路４４としては、投光器及び受光器を内蔵したアクティブオートフォーカス回路やＣＣＤイメージセンサから得られる像のコントラストを利用して合焦か否かを判断するコントラスト法を用いた回路を利用することができる。
【００４３】
また、上記実施形態では、第３レンズ保持枠１８のファーカス初期位置を調整することができるように構成しておくのが好適である。この場合、フォトセンサ４０の位置をずらす方法や第３レンズ保持枠１８に対し第３レンズ群１３を光軸方向にずらす方法、及び遮光板３９をフォトセンサ４０で検出してから所定パルスの分だけモータ３０を駆動して電気的に初期位置をずらす方法などを採用することができる。
【００４４】
【発明の効果】
以上のように本発明のレンズ移動装置では、第２の駆動手段のみを駆動して第１保持枠と一緒に第２保持枠を収納位置に向けて移動する収納動作時に、間隔詰め手段が第２保持枠に当接することで前記移動台と当接部とを離して第２保持枠を第１保持枠に向けて寄せるようにしたから、収納動作時に第２の駆動手段の駆動のみで第１及び第２保持枠との間隔を詰めることができる。これにより、収納動作時に第１の駆動手段を構成する合焦用モータを駆動する必要がなくなり、よって収納動作時及び撮影準備動作時の電池の消耗を抑えることができる。
【図面の簡単な説明】
【図１】本発明のレンズ移動装置を利用したズームレンズを示した端面図であり、収納位置の状態を示している。
【図２】テレ位置のときのズームレンズを示した端面図である。
【図３】ワイド位置のときのズームレンズを示した端面図である。
【図４】カム筒の回転量に対するズームレンズの光軸方向への移動量を示した説明図である。
【符号の説明】
１４  固定筒
１５  カム筒
１６  第１レンズ移動筒
１７  第２レンズ保持枠
１８  第３レンズ保持枠
１８ａ  当接部
２２  変倍用モータ
３０  合焦用モータ
３２  移動台
【図１】
0004683795.tif 000002
【図２】
0004683795.tif 000003
【図３】
0004683795.tif 000004
【図４】
0004683795.tif 000005